【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
アクセスしてきた端末装置に、購入を検討している商品の画像を含む商品確認画面を表示させるサービス提供装置であって、
登録ユーザごとの専用記憶領域を有するデータ記憶部と、
前記登録ユーザを識別するためのユーザ識別情報を前記端末装置から取得するユーザ識別情報受信手段と、
購入を検討している商品を追加する旨の指示を前記端末装置から受け取ると、当該端末装置から取得した前記ユーザ識別情報に対応する前記登録ユーザの前記専用記憶領域に、追加する商品を示す商品画像を含む商品データを追加するデータ追加手段と、
前記ユーザ識別情報受信手段によって受信されたユーザ識別情報に対応する前記登録ユーザの前記専用記憶領域に記憶されている前記商品画像を含む前記商品確認画面を表示するためのデータを前記端末装置に送信する送信手段と
を備え、
前記端末装置に前記商品確認画面が表示されているとき、当該商品確認画面に含まれる各商品の画像を任意の位置に移動可能とすることを特徴とする、サービス提供装置。
【請求項２】
前記商品データには、当該商品データに含まれる各商品を購入するための商品購入データが含まれ、
前記商品購入データに基づいて前記商品確認画面が生成され、
前記端末装置に前記商品確認画面が表示されているとき、当該商品確認画面に含まれる各商品を購入可能とすることを特徴とする、請求項１に記載のサービス提供装置。
【請求項３】
前記データ記憶部は、前記商品データの取得先のウェブサイトのアドレスを前記商品購入データとして記憶し、
前記データ追加手段は、購入を検討している商品を追加する旨の指示を受け取ったときに、前記ユーザ識別情報受信手段によって受信されたユーザ識別情報と関連付けて、追加する商品に対応する商品データの取得先のウェブサイトのアドレスを前記商品購入データとして前記データ記憶部に追加することを特徴とする、請求項２に記載のサービス提供装置。
【請求項４】
購入を検討している商品を削除する旨の指示を前記端末装置から受け取り、前記ユーザ識別情報受信手段によって受信されたユーザ識別情報に基づいて、削除されるべき商品を示す商品画像と当該商品画像に対応付けられている商品購入データとを前記データ記憶部から削除するデータ削除手段を更に備えることを特徴とする、請求項２または３に記載のサービス提供装置。
【請求項５】
予め登録された、もしくは、外部から登録され得るキーワードを記憶するキーワード記憶部を更に備え、
前記データ追加手段は、購入を検討している商品を追加する旨の指示がなされるときに取得されるデータであって追加されるべき商品を示す商品画像を含む商品確認画面を表示するためのデータ内に前記キーワードが含まれているときにのみ、前記データ記憶部にデータを追加することを特徴とする、請求項１から４までのいずれか１項に記載のサービス提供装置。
【請求項６】
前記キーワード記憶部には、衣料品に関するキーワードが予め登録されていることを特徴とする、請求項５に記載のサービス提供装置。
【請求項７】
通信回線を介して接続される端末装置に対して商品データを提供する商品データ提供装置と、前記端末装置および前記商品データ提供装置と通信回線を介して接続され、アクセスしてきた前記端末装置に購入を検討している商品の画像を含む商品確認画面を表示させるサービス提供装置とからなるサービス提供システムであって、
前記サービス提供装置は、
登録ユーザごとの専用記憶領域を有するデータ記憶部と、
前記登録ユーザを識別するためのユーザ識別情報を前記端末装置から取得するユーザ識別情報受信手段と、
購入を検討している商品を追加する旨の指示を前記端末装置から受け取ると、当該端末装置から取得した前記ユーザ識別情報に対応する前記登録ユーザの前記専用記憶領域に、追加する商品を示す商品画像を含む商品データを追加するデータ追加手段と、
前記ユーザ識別情報受信手段によって受信されたユーザ識別情報に対応する前記登録ユーザの前記専用記憶領域に記憶されている前記商品画像を含む前記商品確認画面を表示するためのデータを前記端末装置に送信する送信手段と
を備え、
前記商品データ提供装置は、前記端末装置において前記商品確認画面に含まれる商品画像が選択されることによって前記端末装置から前記通信回線を介して接続されたときに、当該商品画像を含む商品データの取得先のウェブサイトのアドレスに基づいて、当該商品データに係る商品の購入用の画面を表示するためのデータを前記端末装置に送信する商品購入画面用データ送信手段を備えることを特徴とする、サービス提供システム。
【請求項８】
前記商品データ提供装置は、前記商品購入画面用データ送信手段によって送信されたデータに基づく画面が前記端末装置に表示された後、当該画面において商品の購入がなされたときに、予め定められた課金処理を行う課金処理手段を更に備えることを特徴とする、請求項７に記載のサービス提供システム。
【請求項９】
登録ユーザごとの専用記憶領域を有するデータ記憶部を有し、アクセスしてきた端末装置に購入を検討している商品の画像を含む商品確認画面を表示させるサービス提供装置に、
前記登録ユーザを識別するためのユーザ識別情報を前記端末装置から取得するユーザ識別情報受信ステップと、
購入を検討している商品を追加する旨の指示を前記端末装置から受け取ると、当該端末装置から取得した前記ユーザ識別情報に対応する前記登録ユーザの前記専用記憶領域に、追加する商品を示す商品画像を含む商品データを追加するデータ追加ステップと、
前記ユーザ識別情報受信ステップで受信されたユーザ識別情報に対応する前記登録ユーザの前記専用記憶領域に記憶されている前記商品画像を含む前記商品確認画面を表示するためのデータを前記端末装置に送信する送信ステップと
を実行させるサービス提供プログラムであって、
前記端末装置に前記商品確認画面が表示されているとき、当該商品確認画面に含まれる各商品の画像を任意の位置に移動可能とすることを特徴とする、プログラム。
【請求項１０】
登録ユーザごとの専用記憶領域を有するデータ記憶部を有し、アクセスしてきた端末装置に購入を検討している商品の画像を含む商品確認画面を表示させるサービス提供装置を用いたサービス提供方法であって、
前記登録ユーザを識別するためのユーザ識別情報を前記サービス提供装置が前記端末装置から取得するユーザ識別情報受信ステップと、
購入を検討している商品を追加する旨の指示を前記サービス提供装置が前記端末装置から受け取ると、当該端末装置から取得した前記ユーザ識別情報に対応する前記登録ユーザの前記専用記憶領域に、追加する商品を示す商品画像を含む商品データを追加するデータ追加ステップと、
前記ユーザ識別情報受信ステップで受信されたユーザ識別情報に対応する前記登録ユーザの前記専用記憶領域に記憶されている前記商品画像を含む前記商品確認画面を表示するためのデータを前記サービス提供装置から前記端末装置に送信する送信ステップと
を備え、
前記端末装置に前記商品確認画面が表示されているとき、当該商品確認画面に含まれる各商品の画像を任意の位置に移動可能とすることを特徴とする、サービス提供方法。
【手続補正２】
【補正対象書類名】明細書
【補正対象項目名】発明の名称
【補正方法】変更
【補正の内容】
【発明の名称】サービス提供装置、サービス提供システム、サービス提供プログラム、およびサービス提供方法
【手続補正３】
【補正対象書類名】明細書
【補正対象項目名】０００８
【補正方法】変更
【補正の内容】
【０００８】
本発明は、アクセスしてきた端末装置に、購入を検討している商品の画像を含む商品確認画面を表示させるサービス提供装置に関するものである。本発明に係るサービス提供装置は、登録ユーザごとの専用記憶領域を有するデータ記憶部と、登録ユーザを識別するためのユーザ識別情報を端末装置から取得するユーザ識別情報受信手段と、購入を検討している商品を追加する旨の指示を端末装置から受け取ると当該端末装置から取得したユーザ識別情報に対応する登録ユーザの専用記憶領域に追加する商品を示す商品画像を含む商品データを追加するデータ追加手段と、ユーザ識別情報受信手段によって受信されたユーザ識別情報に対応する登録ユーザの専用記憶領域に記憶されている商品画像を含む商品確認画面を表示するためのデータを端末装置に送信する送信手段とを備える。ここで、端末装置に商品確認画面が表示されているとき、当該商品確認画面に含まれる各商品の画像を任意の位置に移動可能とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明によれば、サービス提供装置にはユーザが購入を検討している商品を示す商品画像を含む商品データを記憶するデータ記憶部が設けられており、端末装置からの指示に基づいてデータ記憶部へのデータの追加が行われる。また、データ記憶部内の各ユーザの専用記憶領域に記憶されている商品画像を含む商品確認画面を表示するためのデータが、サービス提供装置から端末装置に送信される。このため、端末装置では、様々なショッピングサイト等から複写した商品画像（商品データ）を含む画像が商品確認画面に表示される。これにより、ユーザは、複数のショッピングサイト等に分散している商品データを１箇所にまとめて保存・閲覧することが可能となる。また、ユーザは、商品確認画面において各商品の画像を自由に移動させることができる。このため、互いに関連のある複数の商品についての商品画像を例えば近い位置に配置させることが可能となる。これにより、ユーザに複数の商品の組み合わせについての見栄えを容易に確認させることが可能となる。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００４５
【補正方法】変更
【補正の内容】
【００４５】
なお、上記処理に関しては、ステップＳ１３０によってユーザ識別情報受信ステップが実現され、ステップＳ１３２，ステップＳ１３４，およびステップＳ１４０によって送信ステップが実現されている。
【手続補正２４】
【補正対象書類名】明細書
【補正対象項目名】００５２
【補正方法】変更
【補正の内容】
【００５２】
なお、上記処理に関しては、ステップＳ３１０，Ｓ３１２によってデータ追加ステップが実現され、ステップＳ３１４，ステップＳ３１６，およびステップＳ３２０によって送信ステップが実現されている。
【手続補正２５】
【補正対象書類名】明細書
【補正対象項目名】００６３
【補正方法】変更
【補正の内容】
【００６３】
＜２．２  構成＞
全体構成（図１参照），ウェブサーバ１１０の概略構成（図４参照），および画像データ保存サービス提供装置１００の機能構成（図５参照）については、上記第１の実施形態と同様であるので、説明を省略する。なお、本実施形態においては、インターネット４を介して互いに接続された画像データ保存サービス提供装置１００と（ショッピングサイトを構成する）ウェブサーバ２００とによってサービス提供システムが実現されている（図１参照）。
【手続補正２６】
【補正対象書類名】明細書
【補正対象項目名】００６５
【補正方法】変更
【補正の内容】
【００６５】
＜２．３  画像データ保存サービス提供装置の動作＞
画像データ保存サービス提供装置１００については、上記第１の実施形態とほぼ同様の動作が行われるので、上記第１の実施形態と異なる点についてのみ説明する。まず、端末装置３００から画像データの追加要求がなされた際については、図１１のステップＳ３１２において、当該画像データおよびその属性データに加えて、当該画像データに係る商品を購入することのできるショッピングサイトのアドレスがデータ記憶部１３２に追加される。また、端末装置３００から画像データの削除要求がなされた際については、図１４のステップＳ５１２において、当該画像データおよびその属性データに加えて、当該画像データに係る商品を購入することのできるショッピングサイトのアドレスがデータ記憶部１３２から削除される。なお、端末装置３００において画像表示領域３３０内の画像データが選択された際の動作については後述する。
以上のように、画像表示領域３３０に画像データが追加された際、当該画像データの取得先のショッピングサイト（ウェブサイト）のアドレスがデータ記憶部１３２に格納される。このため、画像表示領域３３０の画像データと当該画像データの提供元のショッピングサイト（ウェブサイト）のアドレスとを関連付けることが可能となる。これにより、ユーザは、複数の画像データのそれぞれの提供元のショッピングサイト（ウェブサイト）に１つの画像表示領域３３０からアクセスすることが可能となる。
【手続補正２７】
【補正対象書類名】明細書
【補正対象項目名】００７５
【補正方法】変更
【補正の内容】
【００７５】
また、本実施形態によれば、端末装置３００において、画像表示領域３３０内の画像データが選択されると、当該画像データに係る商品を購入することのできるショッピングサイトの画面が表示される。このため、ユーザは、画像データ保存サイトを基準にして、購入を希望する商品をオンラインで販売しているショッピングサイトにアクセスすることが可能となる。購入を希望する商品が複数ある場合にも、ユーザはそれぞれのショッピングサイトに１つの画像表示領域からアクセスすることが可能となる。また、端末装置３００の表示部にショッピングサイトの画面が表示された後、ショッピングが成立すると、予め定められた課金処理が行われる。このため、例えば、ショッピングが成立したときにショッピングサイトの提供者から画像データ保存サイトの提供者に手数料が支払われるようにすることができる。これにより、画像データ保存サイトの提供者は、複数のウェブサイトに分散している画像データを１箇所にまとめて保存するサービスを単にユーザに提供するだけでなく、画像データ保存サイトを介したショッピングに基づく収益を得ることが可能となる。